(57)【要約】【課題】照明部材を衝撃から保護することが可能な表示装置を提供することにある。【解決手段】表示パネルと、前記表示パネルの背面全体を覆う後部外装部材と、照明部材と、前記後部外装部材の底面内側に取り付けられた固定部，前記固定部から張り出す腕部，および前記腕部の先端に前記後部外装部材から浮いた状態に設けられ、前記照明部材を支持する支持部を有する支持部材とを備えた表示装置。【選択図】図５
2013051628.tif 000002
【特許請求の範囲】
【請求項１】
表示パネルと、
前記表示パネルの背面全体を覆う後部外装部材と、
照明部材と、
前記後部外装部材の底面内側に取り付けられた固定部，前記固定部から張り出す腕部，および前記腕部の先端に前記後部外装部材から浮いた状態に設けられ、前記照明部材を支持する支持部を有する支持部材と
を備えた表示装置。
【請求項２】
前記後部外装部材は、前記表示パネルおよび前記照明部材を収容する後部筐体を兼ねる
請求項１記載の表示装置。
【請求項３】
前記照明部材に接続された複数のコネクタが実装され、前記後部外装部材の底面内側に、前記後部外装部材の辺に沿って設けられたバランサー基板を備え、
前記後部外装部材は、前記複数のコネクタの間の位置に、側面内側から前記複数のコネクタの配列方向に交差する方向に突出する突片を有する
請求項２記載の表示装置。
【請求項４】
前記後部外装部材は、底面内側における、前記複数のコネクタの下の位置に窪みを有する
請求項３記載の表示装置。
【請求項５】
前記後部外装部材は、
底面外側下方に設けられた、壁掛けブラケットの下部を固定するための一対のボスと、
前記一対のボスの中間の上方位置から左斜め下方および右斜め下方に伸びる傘状リブと
を有する請求項１記載の表示装置。
【請求項６】
前記後部外装部材の底面外側下方の領域を覆う被覆部材と、
前記後部外装部材の底面外側上方と前記壁掛けブラケットの上部とを連結する一対の連結部品を備え、
前記後部外装部材の底面外側上方と前記壁掛けブラケットの上部との間には、前記被覆部材と前記後部外装部材の底面外側との段差に起因する隙間が生じており、前記隙間は前記連結部品により吸収されている
請求項１記載の表示装置。
【請求項７】
前記後部外装部材の底面外側下方に電源基板を有し、前記電源基板は、電子部品実装面を前記後部外装部材に対向させて配設されている
請求項１記載の表示装置。
【請求項８】
前記後部外装部材と前記表示パネルとの間に中間筐体を備え、
前記表示パネルは、液晶セル，ソース基板および前記液晶セルと前記ソース基板とを接続する可撓性基板を備え、
前記中間筐体は、前記液晶セルが載せられる枠状本体と、前記ソース基板を、前記枠状本体に載せられた液晶セルから垂れ下がる状態に保持する鉤部とを有する
請求項１記載の表示装置。
【請求項９】
前記照明部材は、同方向に並べられた複数の第１発光部および前記複数の第１発光部どうしを繋ぐ第２発光部を有し、
前記照明部材の前記第２発光部に遮光部材が設けられている
請求項１記載の表示装置。
【請求項１０】
前記遮光部材は、前記後部外装部材における前記第２発光部の周囲の位置に貼り付けられた、白以外の無彩色または有彩色の接着テープである
請求項９記載の表示装置。
【請求項１１】
前記後部外装部材の内面に反射シートを備え、
前記反射シートは、第２発光部の周囲の位置に開口を有し、
前記後部外装部材は、白以外の無彩色または有彩色であり、
前記遮光部材は、前記開口内に露出した前記後部外装部材である
請求項９記載の表示装置。
【請求項１２】
前記遮光部材は、前記第２発光部を被覆する、白以外の無彩色または有彩色の管状部材である
請求項９記載の表示装置。
【請求項１３】
前記遮光部材は、前記第２発光部に巻き付けられた、白以外の無彩色または有彩色の接着テープである
請求項９記載の表示装置。
【発明の詳細な説明】
【技術分野】
【０００１】
本開示は、テレビジョン装置などの表示装置に関する。
【背景技術】
【０００２】
テレビジョン装置などの表示装置では、液晶パネルの後方に、直線状のランプ（照明部材）が並べて配置されている。このランプは、ボトムモールド（後部外装部材）の底面の内表面に設けられたランプサポートと呼ばれる円弧状の突起に保持されている（例えば、特許文献１参照。）。
【先行技術文献】
【特許文献】
【０００３】
【特許文献１】特開２００６−１８５９０８号公報
【発明の概要】
【発明が解決しようとする課題】
【０００４】
しかしながら、特許文献１では、ランプを支持する円弧状の突起が、その直下でボトムモールドに固定されていたので、ボトムモールドに衝撃が加えられた場合に、その衝撃が直にランプに伝わってしまい、ランプが破損するおそれがあるという問題があった。この問題は、ボトムモールドが、液晶パネル等を収容するバックシャーシ（後部筐体）を兼ねている場合には、より深刻なものとなっていた。
【０００５】
本開示の目的は、照明部材を衝撃から保護することが可能な表示装置を提供することにある。
【課題を解決するための手段】
【０００６】
本開示の表示装置は、以下の（Ａ）〜（Ｄ）の構成要素を備えたものである。
（Ａ）表示パネル
（Ｂ）表示パネルの背面全体を覆う後部外装部材
（Ｃ）照明部材
（Ｄ）後部外装部材の底面内側に取り付けられた固定部，固定部から張り出す腕部，および腕部の先端に後部外装部材から浮いた状態に設けられ、照明部材を支持する支持部を有する支持部材
【０００７】
本開示の表示装置では、照明部材を支持する支持部が、腕部の先端に後部外装部材から浮いた状態に設けられている。よって、後部外装部材における支持部の裏側の位置に衝撃が加えられた場合には、支持部に支持された照明部材がその衝撃を受けるおそれが小さい。また、後部外装部材における固定部の裏側の位置に衝撃が加えられた場合には、その衝撃は腕部を伝達する際に緩和される。
【発明の効果】
【０００８】
本開示の表示装置によれば、腕部の先端の支持部により照明部材を支持させ、この支持部を、後部外装部材から浮いた状態としたので、照明部材を衝撃から保護することが可能となる。
【図面の簡単な説明】
【０００９】
【図１】本開示の一実施の形態に係る表示装置を前面側および背面側から見た外観を表す斜視図である。
【図２】図１に示した本体部を分解して表す斜視図である。
【図３】図２に示した照明部材およびバランサー基板を表す平面図である。
【図４】図２に示した後部外装部材を内側から見た構成を表す斜視図である。
【図５】図３に示したランプホルダーの一つを拡大して表す斜視図である。
【図６】図２に示した後部外装部材の内側に、照明部材，バランサー基板および反射シートを配置した状態を表す斜視図である。
【図７】図６に示した照明部材の第２発光部近傍を拡大して表す斜視図および断面図である。
【図８】図６のＶＩＩＩ−ＶＩＩＩ線における断面図である。
【図９】図６のＩＸ−ＩＸ線における断面図である。
【図１０】図９に示した突片の作用を説明するための平面図である。
【図１１】図１に示した本体部を背面側から見た構成を表す平面図である。
【図１２】図１１に示した後部外装部材の背面外側から被覆部材，電源基板，信号基板および取付金具を取り外した状態を表す斜視図である。
【図１３】図１１に示した本体部の背面に壁掛けブラケットを取り付けた状態を表す側面図である。
【図１４】図１１のＸＩＶ−ＸＩＶ線における断面図である。
【図１５】図１１のＸＶ−ＸＶ線における断面図である。
【図１６】図１１のＸＶＩ−ＸＶＩ線における断面図である。
【図１７】（Ａ）は図２に示した中間筐体の全体構成を表す斜視図であり、（Ｂ）は（Ａ）に示した鉤部を拡大して表す斜視図である。
【図１８】図１７に示した鉤部にソース基板を保持させた状態を表す斜視図である。
【図１９】図１に示した表示装置の製造方法を工程順に表す分解斜視図である。
【図２０】図１９に続く工程を表す斜視図である。
【図２１】図２０に続く工程を表す斜視図である。
【図２２】図５に示したランプホルダーの作用を説明するための斜視図である。
【図２３】図５に示したランプホルダーに対する衝撃を、通常の場合と比較して説明するための断面図である。
【図２４】変形例１に係る遮光部材の構成を表す斜視図である。
【図２５】変形例２に係る遮光部材の構成を表す斜視図である。
【図２６】変形例３に係る遮光部材の構成を表す断面図である。
【図２７】図２６に示した遮光部材の一例を表す平面図である。
【図２８】図２６に示した遮光部材の他の例を表す平面図である。
【図２９】表示装置の適用例１の外観を表す斜視図である。
【発明を実施するための形態】
【００１０】
以下、本開示の実施の形態について図面を参照して詳細に説明する。なお、説明は以下の順序で行う。
１．実施の形態（遮光部材が、後部筐体における第２発光部の周囲の位置に貼り付けられた黒色接着テープである例）
２．変形例１（遮光部材が、第２発光部に被せられた黒色ゴムチューブである例）
３．変形例２（遮光部材が、第２発光部に巻き付けられた黒色接着テープである例）
４．変形例３（遮光部材が、反射シートの開口内に露出した黒色の後部外装部材である例）
５．適用例
【００１１】
図１は、本開示の一実施の形態に係る表示装置の外観を表したものである。この表示装置１は、例えば薄型テレビジョン装置として用いられるものであり、画像表示のための平板状の本体部２をスタンド３により支持した構成を有している。なお、表示装置１は、スタンド３を本体部２に取付けた状態で、床，棚または台などの水平面に載置して据置型として用いられるが、スタンド３を本体部２から取り外した状態で壁掛型として用いることも可能である。
【００１２】
図２は、図１に示した本体部２を分解して表したものである。本体部２は、例えば、前面側（視聴者側）から、前部外装部材（ベゼル）１１，前部金具１２，表示パネル１３，中間筐体（ミドルシャーシ）１４，光学シート１５，照明部材１６，バランサー基板１７，反射シート１８および後部外装部材（リアカバー）１９をこの順に有している。前部外装部材１１は、表示パネル１３の前面周縁部を覆う額縁状の部材であり、下方には一対のスピーカー２０が配置されている。後部外装部材１９は表示パネル１３の背面全体を覆う樹脂部品である。後部外装部材１９の底面外側および側面外側は、本体部２の体裁面（最表面）を構成している。後部外装部材１９の外側下方には、電源基板２１および信号基板２２が実装されると共に取付金具２３が固定されている。取付金具２３は、壁掛けブラケットの取付、基板等の取付およびスタンド３の取付のためのものである。電源基板２１，信号基板２２および取付金具２３は、被覆部材２４により覆われている。
【００１３】
後部外装部材１９は、表示パネル１３ないし反射シート１８を収容する後部筐体（バックシャーシ）を兼ねている。すなわち、本実施の形態では、従来から採用されている金属よりなる後部筐体（バックシャーシ）と樹脂よりなる後部外装部材（リアカバー）との二重構造ではなく、後部外装部材１９のみによる一重構造をとっている。これにより、従来の金属よりなる後部筐体（バックシャーシ）を廃止し、部品の削減が可能となる。よって、表示装置１の軽量化、製造工程の簡素化およびコスト削減が可能となる。
【００１４】
前部金具１２は、壁掛けブラケットの固定の耐久性を高め、壁掛け時の安全性を向上させるために、表示パネル１３の前面周縁部のうち上方中央部および下方中央部に設けられた金属部品である。なお、従来では、前部金具１２ではなく、枠状の金属部品である前部筐体（トップシャーシ）を設けており、金属よりなる後部筐体に表示パネル１３，中間筐体１４，光学シート１５，照明部材１６および反射シート１８を収容し、表示パネル１３の前面周縁部を枠状の前部筐体で覆うことによりパネルモジュールを構成している。前部金具１２は、この前部筐体の一部を残存させたものである。しかしながら、本実施の形態では上述したように従来の金属よりなる後部筐体を廃止しており、前部筐体または前部金具１２についても後部筐体と同様に完全に省略してしまうことも可能である。
【００１５】
表示パネル１３は、例えば、液晶セル１３Ａと、ソース基板１３Ｂと、これらを接続するＣＯＦ（Chip On Film）などの可撓性基板１３Ｃとを有している（図２には図示せず、図１８参照。）。中間筐体１４は、表示パネル１３および光学シート１５を保持する枠状の樹脂部品である。光学シート１５は、拡散板などの樹脂板である。
【００１６】
照明部材１６は、例えば複数（図２では例えば４本）のＵ字形の冷陰極管により構成されている。具体的には、照明部材１６は、図３に示したように、同方向に並べられた直線状の複数（図３では例えば２本）の第１発光部１６Ａと、複数の第１発光部１６Ａどうしを繋ぐ第２発光部１６Ｂとを有している。
【００１７】
バランサー基板１７は、後部外装部材１９の底面内側に、後部外装部材１９の辺に沿って設けられている。バランサー基板１７には、例えば図３に示したように、複数のコネクタ１７Ａが実装されており、各コネクタ１７Ａに照明部材１６の第１発光部１６Ａの先端部が接続されている。なお、照明部材１６はＵ字管に限らず直線管でもよい。
【００１８】
図２に示した反射シート１８は、照明部材１６からの光を表示パネル１３側に反射させるためのものであり、後部外装部材１９の内側の底面および四つの側面に設けられている。反射シート１８は、複数枚（例えば４枚〜５枚）に分かれており、後述する支持部材３０を通すための切り込みや、照明部材１６を通すための貫通孔などが適宜設けられている。また、本実施の形態では、バランサー基板１７が後部外装部材１９の底面内側に設けられるので、反射シート１８は、バランサー基板１７を隠す役割も有している。
【００１９】
図４は、図２に示した後部外装部材１９を内側から見た構成を表したものである。後部外装部材１９の底面内側には、照明部材１６を支持する支持部材３０が設けられている。支持部材３０は、各照明部材１６につき２個ずつ設置されている。支持部材３０は、例えば、図５に示したように、固定部３１と、２本の腕部３２と、支持部３３と、針部３４とを有している。固定部３１は、後部外装部材１９の底面内側に取り付けられている。２本の腕部３２は、固定部３１から両側に張り出している。支持部３３は、腕部３２の先端に、後部外装部材１９から浮いた状態に設けられている。これにより、この表示装置１では、照明部材１６を衝撃から保護することが可能となっている。
【００２０】
支持部３３は、例えば円弧の形状を有しており、内周面に設けられた３箇所の突起３３Ａ，３３Ｂ，３３Ｃにより照明部材１６を点接触状態で保持するようになっている。針部３４は、後部外装部材１９と光学シート１５との間隔を保持するスペーサとしての機能を有している。
【００２１】
このような支持部材３０は、例えば、後部外装部材１９と一体成形されていることも可能であるし、後部外装部材１９とは別部材として構成されていることも可能である。前者の場合には、支持部材３０は白色樹脂により構成されているので、後部外装部材１９も白色樹脂により構成される。その場合、後部外装部材１９および支持部材３０の構成材料としては、紫外線による黄変を抑えるため、耐光性に優れた白色の樹脂、例えばＰＣ樹脂（ポリカーボネート樹脂）にＡＢＳ樹脂（アクリロニトリル−ブタジエン−スチレン樹脂）を添加したものが好ましい。後者の場合には、支持部材３０は白色樹脂により構成する必要があるが、後部外装部材１９の色は特に限定されない。
【００２２】
図６は、図２に示した後部外装部材１９の内側に、照明部材１６，バランサー基板１７および反射シート１８を配置した状態を表したものである。図７は、図６に示した照明部材１６の第２発光部１６Ｂ近傍を拡大して表したものである。照明部材１６は、反射シート１８上に、支持部材３０により支持されて並べて配置されている。照明部材１６の第２発光部１６Ｂには、遮光部材４０が設けられていることが好ましい。これにより、画面内の輝度の不均一を抑えることが可能となる。
【００２３】
具体的には、遮光部材４０は、後部外装部材１９における第２発光部１６Ｂの周囲の位置に貼り付けられた黒色接着テープである。黒色接着テープとしては、市販の黒色のＰＥＴ（ポリエチレンテレフタレート）製粘着テープ等を使用することが可能である。遮光部材４０は、黒色のほか灰色（グレー）等でもよく、白以外の無彩色または有彩色であれば特に限定されない。なお、後部外装部材１９の底面および四つの側面には上述したように反射シート１８が敷き詰められているので、遮光部材４０である黒色接着テープは後部外装部材１９自体ではなく反射シート１８に貼り付けられていることは言うまでもない。
【００２４】
遮光部材４０は、例えば、後部外装部材１９における第２発光部１６Ｂの下の位置、より望ましくは直下の位置に貼り付けられている。遮光部材４０の外側（幅方向左側）の端は、第２発光部１６Ｂの外側の端に合わせられていることが望ましい。また、遮光部材４０は、第２発光部１６Ｂの長手方向全体にわたって設けられていることが好ましい。遮光部材４０が第２発光部１６Ｂの縦の長さを超えない（すなわち、遮光部材４０が第１発光部１６Ａにかからない）ほうが、輝度むらを生じにくくすることが可能となるからである。
【００２５】
具体的には、遮光部材４０である黒色接着テープの幅は例えば１０ｍｍであり、長さは例えば４０ｍｍである。照明部材１６の直径は例えば４ｍｍであり、二本の第１発光部１６Ａの間隔（ピッチ）は例えば４５ｍｍである。照明部材１６の中心から反射シート１８までの距離は例えば６．５ｍｍである。
【００２６】
図８は、図６のＶＩＩＩ−ＶＩＩＩ線における断面構成を表したものである。図９は、図６のＩＸ−ＩＸ線における断面構成を表したものである。バランサー基板１７は、後部外装部材１９の底面内側に、後部外装部材１９の辺に沿って設けられている。後部外装部材１９は、バランサー基板１７に実装された複数のコネクタ１７Ａの間の位置に、突片１９Ａを有している。この突片１９Ａは、コネクタ１７Ａからの発熱により後部外装部材１９が局所的に高温となるのを抑えるためのものであり、後部外装部材１９の側面内側から、複数のコネクタ１７Ａの配列方向に交差する方向に突出している。
【００２７】
すなわち、コネクタ１７Ａで発生した熱の気流１９Ｂは、突片１９Ａを設けない場合には、図１０（Ａ）の点線矢印で示したように、コネクタ１７Ａの近傍から真上に進む。そのため、後部外装部材１９では、図１０（Ｂ）に示したように、コネクタ１７Ａの裏と、上の側面とに、局所的な高温部１９Ｃが形成される。本実施の形態では、後部外装部材１９の側面内側に突片１９Ａを設けることにより、図１０（Ａ）の実線矢印で示したように、真上に上がっていく熱の気流１９Ｂを逸らし、高温部１９Ｃの形成を抑えることが可能となる。
【００２８】
なお、このような突片１９Ａは、反射シート１８を遮らず、バランサー基板１７に接触しない空間範囲内に設けられていることが望ましい。
【００２９】
また、後部外装部材１９は、図８に示したように、底面内側における、複数のコネクタ１７Ａの下の位置に窪み（薄肉部）１９Ｄを有している。この窪み１９Ｄは、コネクタ１７Ａの下に空気層を形成することにより、コネクタ１７Ａで発生した熱を逃がしやすくするためのものである。窪み１９Ｄの深さは例えば０．５ｍｍ程度である。また、バランサー基板１７は両面接着テープ等により後部外装部材１９に固定されており、バランサー基板１７と後部外装部材１９との間には例えば０．８ｍｍ程度の隙間がある。よって、窪み１９Ｄを設けることにより、コネクタ１７Ａの下に例えば合計１．３ｍｍ程度の空気層を確保し、放熱性能を向上させることが可能となる。
【００３０】
図１１は、図１に示した本体部２を背面側から見た平面構成を表したものである。後部外装部材１９の周縁部には、前部外装部材１１との固定のための複数のねじ孔１９Ｅが設けられている。後部外装部材１９の外側下方領域には被覆部材２４が被せられている。被覆部材２４の内側には、電源基板２１，信号基板２２および壁掛けブラケットの取付金具２３（図１１には図示せず、いずれも図２参照。）が設けられている。被覆部材２４の下方には、取付金具２３を固定するためのねじ孔２４Ａが設けられている。
【００３１】
図１２は、図１１に示した後部外装部材１９の背面外側から被覆部材２４，電源基板２１，信号基板２２および取付金具２３を取り外した状態を表したものである。後部外装部材１９の外側下方には、一対のボス１９Ｆと、傘状リブ１９Ｇとが設けられている。
【００３２】
一対のボス１９Ｆは、壁掛けブラケット（図１３参照。）の下部を固定するためのものである。被覆部材２４は、この一対のボス１９Ｆに整合する位置に、通し孔２４Ｂを有している。一対のボス１９Ｆおよび通し孔２４Ｂは、本体部２に内蔵された下部ＶＥＳＡ（Video Electronics Standard Association）穴を構成するものである。
【００３３】
傘状リブ１９Ｇは、この一対のボス１９Ｆの中間の上方位置から左斜め下方および右斜め下方に伸びる、三角形の二辺をなす形状を有している。このような傘状リブ１９Ｇを設けることにより、後部外装部材１９の体裁面（底面外側および側面外側）に付着した油により一対のボス１９Ｆが腐食し破損するのを抑えることが可能となる。
【００３４】
図１１に示した後部外装部材１９の外側上方中央には、一対の連結部品５１が設けられている。この連結部品５１は、図１３に示したように、本体部２の背面に壁掛けブラケット５２を取り付ける際に、後部外装部材１９の底面外側上方と、壁掛けブラケット５２の上部とを連結する、壁掛け用アタッチメントである。また、後部外装部材１９の底面外側上方と壁掛けブラケット５２の上部との間には、図１３に示したように、被覆部材２４と後部外装部材１９の底面外側との段差に起因する隙間Ｇが生じているが、この隙間Ｇは連結部品５１により吸収されている。
【００３５】
図１４は、図１１のＸＩＶ−ＸＩＶ線における断面構成を表したものである。連結部品５１の一端は、ねじ５１Ａにより、後部外装部材１９および前部金具１２に設けられた上部ＶＥＳＡ穴５１Ｂに固定されている。連結部材５１を、樹脂よりなる後部外装部材１９だけでなく金属よりなる前部金具１２に固定することにより、壁掛けブラケット５２の固定の耐久性を高め、壁掛け時の安全性を向上させることが可能となる。連結部品５１の他端には、実際に壁掛けブラケット５２が固定されるねじ孔５１Ｃが設けられている。
【００３６】
図１５は、図１１のＸＶ−ＸＶ線における断面構成を表したものである。図２に示した壁掛けブラケットの取付金具２３の下端は、ねじ２３Ａにより、被覆部材２４，後部外装部材１９および前部金具１２に固定されている。取付金具２３の下端を、樹脂よりなる後部外装部材１９および被覆部材２４だけでなく金属よりなる前部金具１２に固定することにより、壁掛けブラケット５２の固定の耐久性を高め、壁掛け時の安全性を向上させることが可能となる。
【００３７】
図１６は、図１１のＸＶＩ−ＸＶＩ線における断面構成を表したものである。後部外装部材１９の底面外側下方の左側には、上述したように電源基板２１が実装されている。この電源基板２１は、電子部品実装面２１Ａを後部外装部材１９に対向させて配設されていることが好ましい。これにより、スペースを最大に活用し、表示装置１の本体部２の厚みを薄くすることが可能となる。
【００３８】
図１７（Ａ）は、図２に示した中間筐体１４の全体構成を表したものである。中間筐体１４は、枠状本体１４Ａと、図１７（Ｂ）に拡大して示したように、枠状本体１４Ａから下方に突出する外向きの鉤部１４Ｂとを有している。枠状本体１４Ａは、表示パネル１３の液晶セル１３Ａを載せるためのものである。鉤部１４Ｂは、図１８に示したように、ソース基板１３Ｂを、枠状本体１４Ａに載せられた液晶セル１３Ａから垂れ下がる状態に保持するものである。より詳細には、鉤部１４Ｂは、製造工程においてソース基板１３Ｂを仮置きすることにより、可撓性基板１３Ｃへのストレスを低減し、製造工程での可撓性基板１３Ｃの破損を抑えるためのものである。
【００３９】
この表示装置１は、例えば、次のようにして製造することができる。
【００４０】
図１９ないし図２１は、この表示装置１の製造方法を工程順に表したものである。まず、図１９に示したように、後部外装部材１９の底面内側に、複数のコネクタ１７Ａが実装さえたバランサー基板１７を、後部外装部材１９の辺に沿って設ける。
【００４１】
次いで、後部外装部材１９の底面および三方の側面に反射シート１８を敷き詰める。また、同じく図１９に示したように、反射シート１８における、照明部材１６の第２発光部１６Ｂの下の位置、望ましくは直下の位置に、黒色接着テープよりなる遮光部材４０を貼り付ける。
【００４２】
続いて、同じく図１９に示したように、支持部材３０の支持部３３に照明部材１６を嵌め込んで保持させ、照明部材１６の第１発光部１６Ａの先端部をコネクタ１７Ａに接続する。バランサー基板１７を反射シート１８で隠す。
【００４３】
そののち、図２０（Ｂ）に示したように、支持部材３０の針部３４の上に光学シート１５を載せる。
【００４４】
一方、図２０（Ａ）に示したように、全自動ジグ（図示せず）を用いて表示パネル１３を中間筐体１４に挿入する。このとき、中間筐体１４には下方・外向きの鉤部１４Ｂが設けられているので、枠状本体１４Ａに液晶セル１３Ａを載せると、図１８に示したように、ソース基板１３Ｂは、鉤部１４Ｂにより、枠状本体１４Ａに載せられた液晶セル１３Ａから垂れ下がる状態に保持される（仮置き状態）。
【００４５】
続いて、図２１に示したように、表示パネル１３を載せた中間筐体１４を後部外装部材１９に挿入する。これにより、ソース基板１３Ｂは仮置き状態のままで後部外装部材１９の所定の収容位置に差し込まれ、後部外装部材１９の内側に設けられた嵌合部（図示せず）に受理される。
【００４６】
これに対して、中間筐体１４が鉤部１４Ｂを有しない場合には、表示パネル１３を後部外装部材１９に収容するまでの工程では、ソース基板１３Ｂおよび可撓性基板１３Ｃがどこにも掛止されずに自由に動ける状態となっている。そのため、中間筐体１４を後部外装部材１９に挿入する際に、ソース基板１３Ｂが後部外装部材１９の上端に乗ってしまい、改めて手作業でソース基板１３Ｂを後部外装部材１９の所定の収容位置に差し込む必要が生じる。この手作業の際に、可撓性基板１３が折り曲げなどのストレスを受け、損傷を受けるおそれがある。本実施の形態では、製造工程においてソース基板１３Ｂを鉤部１４Ｂに仮置きすることにより、可撓性基板１３Ｃへのストレスを低減し、製造工程での可撓性基板１３Ｃの破損を抑えることが可能となる。
【００４７】
そののち、表示パネル１３の前面周縁部に前部金具１２を取り付け、スピーカー２０を配設した前部外装部材１１を固定する。また、後部筐体２８の背面下方に電源基板２１および信号基板２２を実装し、壁掛けブラケットの取付金具２３を固定する。そののち、後部外装部材１９の底面外側下方の領域を被覆部材２４で被覆する。
【００４８】
このようにして、図１に示した本体部２が形成される。最後に、本体部２の背面にスタンド３を取り付けることにより、図１に示した表示装置１が完成する。
【００４９】
この表示装置１では、照明部材１６からの光は、直接、または反射シート１８により反射され、光学シート１５により均一に拡散されて表示パネル１３の液晶セル１３Ａに入射する。この入射光は、偏光板（図示せず）を通過した後、液晶セル１３Ａの一対の基板（図示せず）間に印加された映像電圧に基づいて画素毎に変調されつつ液晶層（図示せず）を透過する。液晶層を透過した光は、カラーフィルタ（図示せず）を通過することにより、カラーの表示光として偏光板（図示せず）の外側へ取り出される。
【００５０】
ここでは、照明部材１６を支持する支持部３３が、腕部３２の先端に後部外装部材１９から浮いた状態に設けられている。よって、図２２に示したように、後部外装部材１９における支持部３３の裏側の位置に衝撃Ｓ１が加えられた場合には、支持部３３に支持された照明部材１６がその衝撃Ｓ１を受けるおそれが小さい。また、後部外装部材１９における固定部３１の裏側の位置に衝撃Ｓ２が加えられた場合には、その衝撃Ｓ２は腕部３２を伝達する際に緩和される。
【００５１】
ちなみに、通常の表示装置では、図２３（Ａ）に示したように、金属よりなる後部筐体（バックシャーシ）１１９Ａと樹脂よりなる後部外装部材（リアカバー）１１９Ｂとの二重構造を有しているので、背面からの衝撃Ｓ３により後部筐体１１９Ａ内の照明部材１１６が破損するおそれはそれほど大きくない。これに対して、図２３（Ｂ）に示したように、後部外装部材１９が、表示パネル１３ないし反射シート１８を収容する後部筐体（バックシャーシ）を兼ねている場合には、背面からの衝撃Ｓ４は樹脂よりなる後部外装部材１９を介して照明部材１６に直接伝わりやすい。本実施の形態は、照明部材１６を支持する支持部３３を、腕部３２の先端に後部外装部材１９から浮いた状態に設けることにより、照明部材１６を衝撃Ｓ１，Ｓ２から保護するようにしたものである。なお、図２３（Ａ）においては図２に対応する構成要素に１００番台の同一の符号を付している。
【００５２】
また、後部外装部材１９における第２発光部１６Ｂの下の位置、望ましくは直下の位置に、遮光部材４０として黒色接着テープが貼り付けられているので、第２発光部１６Ｂからの光は、遮光部材４０である黒色接着テープに吸収される。よって、第２発光部１６Ｂからの光は遮光部材４０により遮光され、第１発光部１６Ａからの光により表示パネル１３が均一な輝度で照明される。
【００５３】
これに対して、遮光部材４０を設けない場合には、表示パネル１３の右側は第１発光部１６Ａのみによって照明されるのに対して、左側は第１発光部１６Ａおよび第２発光部１６Ｂの両方によって照明されるので、画面左右で輝度が不均一となる。本実施の形態では、第２発光部１６Ｂに遮光部材４０が設けられているので、このような画面左右の明るさの差が補正ないし調整され、画面内の輝度の不均一が低減される。
【００５４】
また、図８および図９に示したように、後部外装部材１９の側面内側に突片１９Ａが設けられているので、図１０（Ａ）に示したように、コネクタ１７Ａから真上に上がっていく熱の気流１９Ｂは突片１９Ａにより横方向に逸らされる。よって、図１０（Ｂ）に示した後部外装部材１９の局所的な高温部１９Ｃの形成が抑えられる。
【００５５】
更に、後部外装部材１９は、図８に示したように、底面内側における、複数のコネクタ１７Ａの下の位置に窪み１９Ｄを有しているので、この窪み１９Ｄにより、コネクタ１７Ａの下に空気層が形成され、コネクタ１７Ａで発生した熱が排熱されやすくなる。
【００５６】
加えて、図１２に示したように、後部外装部材１９の外側下方に傘状リブ１９Ｇが設けられているので、後部外装部材１９の体裁面（底面外側および側面外側）に油１９Ｈが付着しても、油１９Ｈは、図１２の点線に示したように、傘状リブ１９Ｇを伝わって下方へ移動し、ボス１９Ｆに付着することが回避される。よって、油１９Ｈにより一対のボス１９Ｆが腐食し破損するのが抑えられる。よって、特に壁掛け使用時の安全性が向上する。
【００５７】
このように本実施の形態では、腕部３２の先端の支持部３３により照明部材１６を支持させ、この支持部３３を後部外装部材１９から浮いた状態とするようにしたので、照明部材１６を衝撃Ｓ１，Ｓ２から保護することが可能となる。
【００５８】
特に、後部外装部材１９が、表示パネル１３ないし反射シート１８を収容する後部筐体（バックシャーシ）を兼ねているようにしたので、従来の金属よりなる後部筐体（バックシャーシ）を廃止し、部品の削減が可能となる。よって、表示装置１の軽量化、製造工程の簡素化およびコスト削減が可能となる。
【００５９】
また、特に、後部外装部材１９の側面内側に突片１９Ａを設けるようにしたので、コネクタ１７Ａから真上に上がっていく熱１９Ｂは突片１９Ａにより横方向に逸らし、後部外装部材１９の局所的な高温部１９Ｃの形成を抑えることが可能となる。
【００６０】
更に、特に、後部外装部材１９の底面内側における、複数のコネクタ１７Ａの下の位置に窪み１９Ｄを設けるようにしたので、この窪み１９Ｄにより、コネクタ１７Ａの下に空気層を形成し、コネクタ１７Ａで発生した熱を排熱しやすくすることが可能となる。
【００６１】
加えて、特に、後部外装部材１９の外側下方に傘状リブ１９Ｇを設けるようにしたので、後部外装部材１９の体裁面（底面外側および側面外側）に付着した油により一対のボス１９Ｆが腐食し破損するのを抑え、壁掛け使用時の安全性を向上させることが可能となる。
【００６２】
更にまた、特に、中間筐体１４に、下方・外向きの鉤部１４Ｂを設けるようにしたので、製造工程においてソース基板１３Ｂを鉤部１４Ｂに仮置きすることにより、可撓性基板１３Ｃへのストレスを低減し、製造工程での可撓性基板１３Ｃの破損を抑えることが可能となる。
【００６３】
加えてまた、特に、照明部材１６の第２発光部１６Ｂに遮光部材４０を設けるようにしたので、第２発光部１６Ｂからの光に起因する画面内の輝度の不均一を抑えることが可能となる。
【００６４】
（変形例１）
なお、上記実施の形態では、遮光部材４０が、後部外装部材１９における第２発光部１６Ｂの下の位置、望ましくは直下の位置に貼り付けられた黒色接着テープである場合について説明したが、遮光部材４０は、例えば図２４に示したように、第２発光部１６Ｂを被覆する管状部材、具体的には黒色または灰色など、白以外の無彩色または有彩色のゴムチューブとすることも可能である。このようにすれば、第２発光部１６Ｂからの光を遮光部材４０により直接遮光し、画面内の輝度の不均一を更に低減することが可能となる。
【００６５】
（変形例２）
また、遮光部材４０は、例えば図２５に示したように、第２発光部１６Ｂに巻き付けられた、黒色または灰色など、白以外の無彩色または有彩色の接着テープとすることも可能である。これにより、第２発光部１６Ｂからの光を遮光部材４０により直接遮光し、画面内の輝度の不均一を更に低減することが可能となる。
【００６６】
（変形例３）
更に、上記実施の形態では反射シート１８に遮光部材４０としての黒色接着テープを貼る場合について説明した。しかしながら、例えば図２６に示したように、反射シート１８に開口１８Ａを設け、開口１８Ａ内に後部外装部材１９を露出させるようにすることも可能である。この場合、後部外装部材１９を、黒色または灰色など、白以外の無彩色または有彩色とすることにより、開口１８Ａ内に露出した後部外装部材１９を遮光部材４０として、黒色接着テープと同様に第２発光部１６Ｂからの光を吸収させ、画面内の輝度の不均一を低減することが可能となる。
【００６７】
開口１８Ａの位置や寸法は、上記実施の形態の黒色接着テープと同様である。開口１８Ａの平面形状は、例えば図２７に示したように黒色接着テープと同様の四角形とすることも可能であるし、また、例えば図２８に示したように、複数の小孔の集合とすることも可能である。
【００６８】
本変形例では、後部外装部材１９を、黒色または灰色など、白以外の無彩色または有彩色としている一方、照明部材１６を支持する支持部材３０は白色である。そのため、支持部材３０は、後部外装部材１９とは一体成型ではなく別部品として取り付けられていることが望ましい。
【００６９】
なお、変形例１または変形例２と上記実施の形態または変形例３とを組み合わせることも可能である。また、遮光部材４０の具体的な態様については、上記実施の形態または変形例１，２に限られるものではなく、第２発光部１６Ｂからの光を吸収または遮光可能である限り他の形態を有していることも可能である。
【００７０】
（適用例）
続いて、表示装置１の適用例について説明する。表示装置１は、上述したテレビジョン装置のほか、デジタルカメラ，ノート型パーソナルコンピュータ、携帯電話やスマートホン等の携帯端末装置あるいはビデオカメラなどのあらゆる分野の電子機器に適用することが可能である。言い換えると、この表示装置１は、外部から入力された映像信号あるいは内部で生成した映像信号を、画像あるいは映像として表示するあらゆる分野の電子機器に適用することが可能である。
【００７１】
（適用例１）
図２９は、表示装置１が適用されるノート型パーソナルコンピュータの外観を表したものである。このノート型パーソナルコンピュータは、例えば、本体１１０，文字等の入力操作のためのキーボード１２０および画像を表示する表示部１３０を有しており、この表示部１３０が表示装置１により構成されている。
【００７２】
以上、実施の形態を挙げて本開示を説明したが、本開示は上記実施の形態に限定されるものではなく、種々の変形が可能である。例えば、上記実施の形態では、反射シート１８に遮光部材４０として黒色接着テープを貼り付ける場合について説明したが、反射シート１８に印刷法により黒色、灰色などの白以外の着色領域を設けることにより、黒色接着テープと同様の光吸収または遮光の機能をもたせることも可能である。
【００７３】
また、遮光部材４０は、後部外装部材１９における第２発光部１６Ｂの下の位置に代えて、またはこれに加えて、後部外装部材１９の側面における第２発光部１６Ｂの横の位置に貼り付けられていてもよい。
【００７４】
更に、例えば、上記実施の形態において説明した各層の材料および厚みなどは限定されるものではなく、他の材料および厚みとしてもよい。
【００７５】
加えて、例えば、上記実施の形態において表示装置（テレビジョン装置）の構成を具体的に挙げて説明したが、全ての構成要素を備える必要はなく、また、他の構成要素を更に備えていてもよい。
【００７６】
なお、本技術は以下のような構成を取ることも可能である。
（１）
表示パネルと、
前記表示パネルの背面全体を覆う後部外装部材と、
照明部材と、
前記後部外装部材の底面内側に取り付けられた固定部，前記固定部から張り出す腕部，および前記腕部の先端に前記後部外装部材から浮いた状態に設けられ、前記照明部材を支持する支持部を有する支持部材と
を備えた表示装置。
（２）
前記後部外装部材は、前記表示パネルおよび前記照明部材を収容する後部筐体を兼ねる
前記（１）記載の表示装置。
（３）
前記照明部材に接続された複数のコネクタが実装され、前記後部外装部材の底面内側に、前記後部外装部材の辺に沿って設けられたバランサー基板を備え、
前記後部外装部材は、前記複数のコネクタの間の位置に、側面内側から前記複数のコネクタの配列方向に交差する方向に突出する突片を有する
前記（２）記載の表示装置。
（４）
前記後部外装部材は、底面内側における、前記複数のコネクタの下の位置に窪みを有する
前記（３）記載の表示装置。
（５）
前記後部外装部材は、
底面外側下方に設けられた、壁掛けブラケットの下部を固定するための一対のボスと、
前記一対のボスの中間の上方位置から左斜め下方および右斜め下方に伸びる傘状リブと
を有する前記（１）ないし（４）のいずれか１項に記載の表示装置。
（６）
前記後部外装部材の底面外側下方の領域を覆う被覆部材と、
前記後部外装部材の底面外側上方と前記壁掛けブラケットの上部とを連結する一対の連結部品を備え、
前記後部外装部材の底面外側上方と前記壁掛けブラケットの上部との間には、前記被覆部材と前記後部外装部材の底面外側との段差に起因する隙間が生じており、前記隙間は前記連結部品により吸収されている
前記（１）ないし（５）のいずれか１項に記載の表示装置。
（７）
前記後部外装部材の底面外側下方に電源基板を有し、前記電源基板は、電子部品実装面を前記後部外装部材に対向させて配設されている
前記（１）ないし（６）のいずれか１項に記載の表示装置。
（８）
前記後部外装部材と前記表示パネルとの間に中間筐体を備え、
前記表示パネルは、液晶セル，ソース基板および前記液晶セルと前記ソース基板とを接続する可撓性基板を備え、
前記中間筐体は、前記液晶セルが載せられる枠状本体と、前記ソース基板を、前記枠状本体に載せられた液晶セルから垂れ下がる状態に保持する鉤部とを有する
前記（１）ないし（７）のいずれか１項に記載の表示装置。
（９）
前記照明部材は、同方向に並べられた複数の第１発光部および前記複数の第１発光部どうしを繋ぐ第２発光部を有し、
前記照明部材の前記第２発光部に遮光部材が設けられている
前記（１）ないし（８）のいずれか１項に記載の表示装置。
（１０）
前記遮光部材は、前記後部外装部材における前記第２発光部の周囲の位置に貼り付けられた、白以外の無彩色または有彩色の接着テープである
前記（９）記載の表示装置。
（１１）
前記後部外装部材の内面に反射シートを備え、
前記反射シートは、第２発光部の周囲の位置に開口を有し、
前記後部外装部材は、白以外の無彩色または有彩色であり、
前記遮光部材は、前記開口内に露出した前記後部外装部材である
前記（９）記載の表示装置。
（１２）
前記遮光部材は、前記第２発光部を被覆する、白以外の無彩色または有彩色の管状部材である
前記（９）ないし（１１）のいずれか１項に記載の表示装置。
（１３）
前記遮光部材は、前記第２発光部に巻き付けられた、白以外の無彩色または有彩色の接着テープである
前記（９）ないし（１１）のいずれか１項に記載の表示装置。
【符号の説明】
【００７７】
１…表示装置、２…本体部、３…スタンド、１１…前部外装部材（ベゼル）、１２…前部金具、１３…表示パネル、１３Ａ…液晶セル、１３Ｂ…ソース基板、１３Ｃ…可撓性基板、１４…中間筐体（ミドルシャーシ）、１５…光学シート、１６…照明部材、１６Ａ…第１発光部、１６Ｂ…第２発光部、１７…バランサー基板、１８…反射シート、１９…後部外装部材（リアカバー）、１９Ａ…突片、１９Ｄ…窪み、１９Ｇ…傘状リブ、２０…スピーカー、２１…電源基板、２２…信号基板、２３…取付金具、２４…被覆部材、４０…遮光部材、５１…連結部材、５２…壁掛けブラケット。
【図１】
2013051628.tif 000003
【図２】
2013051628.tif 000004
【図３】
2013051628.tif 000005
【図４】
2013051628.tif 000006
【図５】
2013051628.tif 000007
【図６】
2013051628.tif 000008
【図７】
2013051628.tif 000009
【図８】
2013051628.tif 000010
【図９】
2013051628.tif 000011
【図１０】
2013051628.tif 000012
【図１１】
2013051628.tif 000013
【図１２】
2013051628.tif 000014
【図１３】
2013051628.tif 000015
【図１４】
2013051628.tif 000016
【図１５】
2013051628.tif 000017
【図１６】
2013051628.tif 000018
【図１７】
2013051628.tif 000019
【図１８】
2013051628.tif 000020
【図１９】
2013051628.tif 000021
【図２０】
2013051628.tif 000022
【図２１】
2013051628.tif 000023
【図２２】
2013051628.tif 000024
【図２３】
2013051628.tif 000025
【図２４】
2013051628.tif 000026
【図２５】
2013051628.tif 000027
【図２６】
2013051628.tif 000028
【図２７】
2013051628.tif 000029
【図２８】
2013051628.tif 000030
【図２９】
2013051628.tif 000031